(57)【要約】【課題】ブラシを保持する一対のホルダ部が互いの角度間隔が９０°以内の狭角状態で配置されてなるブラシホルダであって、ブラシ間の短絡をより確実に防止する。【解決手段】対をなすホルダ部１７，１８が互いの角度間隔が９０°の狭角状態となるようにベース部１６に設けられることから、各ホルダ部１７，１８間の狭角領域において、対をなすスプリング保持柱２２，２３にそれぞれ装着されるブラシ押圧用のトーションスプリング２４，２５が近接する。このトーションスプリング２４，２５は金属線にて形成され、かつブラシ１９，２０と直接接触することから、隣接するトーションスプリング２４，２５間に介在する隔壁２１がベース部１６上に設けられる。そして、隔壁２１は、ベース部１６における整流子８と対向する挿通孔１６ａの内周縁部まで延設される。【選択図】      図２
2006320152.tif 000002
【特許請求の範囲】
【請求項１】
整流子の外周面に摺接するためのブラシを径方向に摺動可能に保持する少なくとも２つの筒状のホルダ部が互いの角度間隔が９０°以内の狭角状態となるようにブラシホルダベース上に設けられ、前記ベース上の各ホルダ部間の狭角領域において、各ホルダ部間の中間部に隔壁と、前記隔壁の両側にスプリング保持柱とを有し、前記各スプリング保持柱に前記各ブラシの後端面を前記整流子側に押圧するトーションスプリングをそれぞれ装着するとともに、前記隔壁にて各トーションスプリング相互の絶縁を図るようにしたブラシホルダであって、
前記ベースは前記整流子と対向する内周縁部を有し、前記隔壁がその内周縁部まで延設されていることを特徴とするブラシホルダ。
【請求項２】
請求項１に記載のブラシホルダにおいて、
前記ブラシホルダベースは樹脂よりなり、前記ホルダ部、前記スプリング保持柱及び前記隔壁が前記ブラシホルダベースに一体に形成されていることを特徴とするブラシホルダ。
【請求項３】
請求項１又は２に記載のブラシホルダにおいて、
前記トーションスプリングは、コイル状に形成され前記スプリング保持柱に嵌挿されるコイル部と、前記コイル部の一端から外側に延びる反力側端部と、前記コイル部の他端から外側に延びる作用側端部とを有するものであり、
前記作用側端部が前記ブラシの後端面に係止されるとともに、前記反力側端部が前記スプリング保持柱の周囲に設けられ該保持柱への前記トーションスプリングの装着をガイドするガイド壁、又は前記隔壁に係止されることを特徴とするブラシホルダ。
【請求項４】
請求項３に記載のブラシホルダにおいて、
前記ガイド壁又は前記隔壁には、前記反力側端部が係止する係止部が設けられていることを特徴とするブラシホルダ。
【請求項５】
請求項４に記載のブラシホルダにおいて、
前記係止部にて係止される前記反力側端部の位置が前記隔壁の高さよりも低い位置に設定されていることを特徴とするブラシホルダ。
【請求項６】
請求項１〜５のいずれか１項に記載のブラシホルダを備え、前記ブラシホルダにて保持される前記ブラシがアーマチャに備えられる前記整流子と摺接し、前記ブラシから前記整流子への電源供給に基づいて前記アーマチャが回転するように構成されていることを特徴とするモータ。
【請求項７】
請求項６に記載のモータにおいて、
開口部を有し、該開口部から前記アーマチャを回転可能に収容するヨークハウジングと、前記ヨークハウジングの開口部を閉塞する樹脂製の蓋部材とを備えるものであり、
前記蓋部材には、前記ブラシホルダベース、前記ホルダ部、前記スプリング保持柱及び前記隔壁が一体に形成されていることを特徴とするモータ。
【発明の詳細な説明】
【技術分野】
【０００１】
本発明は、アーマチャ（電機子）に整流子を通じて電源供給するブラシを保持するためのブラシホルダ及びそのブラシホルダを備えたモータに関するものである。
【背景技術】
【０００２】
ブラシ付きモータには、そのブラシを保持するブラシホルダを備えている。ブラシホルダには、ブラシを４個以上用いる場合や２個でもモータの構成上、９０°以内の狭角状態で配置されているものがある（例えば特許文献１参照）。
【０００３】
このブラシホルダ（文献中、ブラシホルダ装置）は樹脂にて形成されており、該ホルダ上にはブラシを径方向に摺動可能に保持する矩形筒状のホルダ部（文献中、ブラシホルダ）が対同士で略６０°の狭角状態で設けられている。対をなすホルダ部間の狭角領域には、ブラシ後端面（径方向外側面）を押圧するトーションスプリングを保持するためのスプリング保持柱が立設されている。スプリング保持柱には、縦割り溝形状の係止部が形成されている。
【０００４】
これに対し、トーションスプリングは、スプリング保持柱に嵌挿保持されるコイル部と、該コイル部の一端から内側に折り曲げられスプリング保持柱の係止部内に挿入される反力側端部と、該コイル部の他端から外側に延びブラシ後端面を押圧する作用側端部とを有している（文献の図２及び図３にて図示）。即ち、このトーションスプリングは、反力側端部を係止部内に挿入しつつコイル部をスプリング保持柱に嵌挿するとともに、該反力側端部を支点として作用側端部をコイル部の周方向に広げた状態でブラシ後端面に係止させることで、該作用側端部が復帰しようとする付勢力にてブラシ後端面を押圧するようになっている。
【特許文献１】特開平８−２６６０１９号公報
【発明の開示】
【発明が解決しようとする課題】
【０００５】
ところで、上記文献では、対をなすホルダ部間の狭角領域にそれぞれのホルダ部（ブラシ）に対応するトーションスプリングが配置されることから、各スプリングは互いに近接している。そのため、隣接するトーションスプリング間に平板形状の隔壁が立設されている。即ち、トーションスプリングは金属線にて形成され、かつブラシと直接接触することから、隔壁にて互いの直接的接触を回避し絶縁させている。
【０００６】
しかしながら、この隔壁は、単に隣接するトーションスプリングの直接的接触を回避して絶縁を図るものである。即ち、整流子を内側に配置すべく円環状をなすブラシホルダステー上面において、隔壁は、外側縁部から径方向内側に向かって略中間部まで延びる形状をなしている。そのため、整流子にブラシが摺接することにより生じるブラシ摩耗粉等が隔壁の径方向内側端部よりも更に内側のホルダステー上に堆積し、やがて隣接するトーションスプリング間を導通させてしまう場合がある。このことは、ブラシ間を短絡させることとなって、モータの作動不良を引き起こす。
【０００７】
また、上記文献のブラシホルダに用いられるトーションスプリングは、反力側端部が内側に折り曲げられているため、反力側端部と作用側端部とが共にコイル部から外側に延びる一般的なトーションスプリングよりもその形成が難しい。また、トーションスプリングを保持するスプリング保持柱においても細長の縦割り溝を形成する必要があり、該保持柱の形成が難しい。
【０００８】
そこで、同文献には、反力側端部と作用側端部とが共にコイル部から外側に延びる一般的なトーションスプリングを使用するものも開示されている（文献の図８にて図示）。
しかしながら、この形態では、反力側端部をホルダ部の側壁に係止するようにしているため、トーションスプリングの反力がホルダ部に作用し、該ホルダ部の形状を変形させてしまう。そこで、ホルダ部に補強リブが設けられているが、ホルダ部内のブラシの摺動に影響を与えかねない。
【０００９】
本発明は、上記課題を解決するためになされたものであって、第１の目的は、ブラシを保持する一対のホルダ部が互いの角度間隔が９０°以内の狭角状態で配置されてなるブラシホルダ及びそのブラシホルダを備えたモータであって、ブラシ間の短絡をより確実に防止することにある。
【００１０】
また、第２の目的は、ブラシを押圧するためのトーションスプリングの付勢力がホルダ部に極力影響しない構成とし、ホルダ部内のブラシの円滑な摺動を好適に維持することにある。
【課題を解決するための手段】
【００１１】
上記課題を解決するために、請求項１に記載の発明は、整流子の外周面に摺接するためのブラシを径方向に摺動可能に保持する少なくとも２つの筒状のホルダ部が互いの角度間隔が９０°以内の狭角状態となるようにブラシホルダベース上に設けられ、前記ベース上の各ホルダ部間の狭角領域において、各ホルダ部間の中間部に隔壁と、前記隔壁の両側にスプリング保持柱とを有し、前記各スプリング保持柱に前記各ブラシの後端面を前記整流子側に押圧するトーションスプリングをそれぞれ装着するとともに、前記隔壁にて各トーションスプリング相互の絶縁を図るようにしたブラシホルダであって、前記ベースは前記整流子と対向する内周縁部を有し、前記隔壁がその内周縁部まで延設されていることをその要旨とする。
【００１２】
請求項２に記載の発明は、請求項１に記載のブラシホルダにおいて、前記ブラシホルダベースは樹脂よりなり、前記ホルダ部、前記スプリング保持柱及び前記隔壁が前記ブラシホルダベースに一体に形成されていることをその要旨とする。
【００１３】
請求項３に記載の発明は、請求項１又は２に記載のブラシホルダにおいて、前記トーションスプリングは、コイル状に形成され前記スプリング保持柱に嵌挿されるコイル部と、前記コイル部の一端から外側に延びる反力側端部と、前記コイル部の他端から外側に延びる作用側端部とを有するものであり、前記作用側端部が前記ブラシの後端面に係止されるとともに、前記反力側端部が前記スプリング保持柱の周囲に設けられ該保持柱への前記トーションスプリングの装着をガイドするガイド壁、又は前記隔壁に係止されることをその要旨とする。
【００１４】
請求項４に記載の発明は、請求項３に記載のブラシホルダにおいて、前記ガイド壁又は前記隔壁には、前記反力側端部が係止する係止部が設けられていることをその要旨とする。
【００１５】
請求項５に記載の発明は、請求項４に記載のブラシホルダにおいて、前記係止部にて係止される前記反力側端部の位置が前記隔壁の高さよりも低い位置に設定されていることをその要旨とする。
【００１６】
請求項６に記載の発明は、請求項１〜５のいずれか１項に記載のブラシホルダを備え、前記ブラシホルダにて保持される前記ブラシがアーマチャに備えられる前記整流子と摺接し、前記ブラシから前記整流子への電源供給に基づいて前記アーマチャが回転するように構成されているモータである。
【００１７】
請求項７に記載の発明は、請求項６に記載のモータにおいて、開口部を有し、該開口部から前記アーマチャを回転可能に収容するヨークハウジングと、前記ヨークハウジングの開口部を閉塞する樹脂製の蓋部材とを備えるものであり、前記蓋部材には、前記ブラシホルダベース、前記ホルダ部、前記スプリング保持柱及び前記隔壁が一体に形成されていることをその要旨とする。
【００１８】
（作用）
請求項１に記載の発明によれば、対をなすホルダ部が互いの角度間隔が９０°以内の狭角状態となるようにブラシホルダベース上に設けられることから、各ホルダ部間の狭角領域において、対をなすスプリング保持柱にそれぞれ装着されるブラシ押圧用のトーションスプリングが近接する。このトーションスプリングは金属線にて形成され、かつブラシと直接接触することから、隣接するトーションスプリング間に介在する隔壁が設けられる。そして、隔壁は、ベースにおける整流子と対向する内周縁部まで延設される。これにより、隔壁が隣接するトーションスプリング間に介在して該スプリング相互の直接的接触を回避して絶縁を図るだけでなく、整流子と対向するベースの内周縁部までその隔壁を縁設させているので、整流子にブラシが摺接することにより生じるブラシ摩耗粉等が堆積するベース上のスペースが小さくなる。これにより、ブラシ摩耗粉等の堆積によりトーションスプリング間の導通が抑制され、ひいてはブラシ間が短絡することが抑制される。
【００１９】
請求項２に記載の発明によれば、ホルダ部、スプリング保持柱及び隔壁が、樹脂よりなるブラシホルダベースに一体に形成されるため、ブラシホルダを構成する部品点数が少なくなり、ブラシホルダ、ひいてはそのブラシホルダを用いるモータの組み付け工数を低減できる。
【００２０】
請求項３に記載の発明によれば、トーションスプリングは、コイル部と、コイル部の一端から外側に延びる反力側端部と、コイル部の他端から外側に延びる作用側端部とを有する一般的なものが用いられる。トーションスプリングの作用側端部はブラシの後端面に係止されるとともに、反力側端部はスプリング保持柱の周囲に設けられ該保持柱へのトーションスプリングの装着をガイドするガイド壁、又は隔壁に係止される。つまり、反力側端部を近傍のガイド壁や隔壁に係止させ、ブラシを保持するホルダ部に対して係止しない構成としたことで、ホルダ部へのトーションスプリングの付勢力がホルダ部に与える影響が小さくなって該ホルダ部の変形が抑制され、ホルダ部内のブラシの円滑な摺動が好適に維持される。
【００２１】
請求項４に記載の発明によれば、ガイド壁又は隔壁には、トーションスプリングの反力側端部が係止する係止部が設けられる。これにより、反力側端部が係止部に係止されることで、その係止がより確実となる。
【００２２】
請求項５に記載の発明によれば、係止部にて係止される反力側端部の位置が隔壁の高さよりも低い位置に設定される。これにより、係止部にて係止される反力側端部が隔壁よりも上方に突出することが防止され、より確実な絶縁を図ることが可能となる。
【００２３】
請求項６に記載の発明によれば、モータには、請求項１〜５のいずれか１項に記載のブラシホルダが備えられ、該ブラシホルダにて保持されるブラシがアーマチャに備えられる整流子と摺接し該整流子側に電源供給を行う。このようなブラシホルダはブラシ間の短絡が生じにくいので、モータの長寿命化に寄与できる。
【００２４】
請求項７に記載の発明によれば、ヨークハウジングの開口部を閉塞する樹脂製の蓋部材に、ブラシホルダベース、ホルダ部、スプリング保持柱及び隔壁が一体に形成される。これにより、ブラシホルダを構成する部品点数が少なくなり、ブラシホルダ、ひいてはモータの組み付け工数を低減できる。
【発明の効果】
【００２５】
従って、請求項１〜７に記載の発明によれば、ブラシを保持する一対のホルダ部が互いの角度間隔が９０°以内の狭角状態で配置されてなるブラシホルダ及びそのブラシホルダを備えたモータであって、ブラシ間の短絡をより確実に防止することができる。
【００２６】
また、請求項３〜５に記載の発明によれば、ブラシを押圧するためのトーションスプリングの付勢力がホルダ部に極力影響を与えない構成となり、ホルダ部内のブラシの円滑な摺動を好適に維持することができる。
【発明を実施するための最良の形態】
【００２７】
以下、本発明を具体化した一実施の形態を図面に従って説明する。
図１は、本実施の形態のモータ１を示す。本実施の形態のモータ１は、車両のパワーシート装置の駆動源として用いられるものであり、シートの各機構部、例えばシートを前後にスライドさせる機構部やシートの背もたれ部を傾動させる機構部等に装備されるモータである。
【００２８】
モータ１は、磁性金属板材にて有底円筒状に形成されるヨークハウジング２を有しており、該ハウジング２の内周面にはマグネット３が固着されている。因みに、本実施の形態のマグネット３の磁極数は「４」となっている。マグネット３の内側には、アーマチャ（電機子）４が回転可能に収納されている。アーマチャ４は、回転軸５と、該回転軸５に固定されるコア６と、該コア６に巻装される巻線７と、コア６よりも先端側の回転軸５に固定され巻線７と接続される整流子８と、を備えてなる。アーマチャ４は、回転軸５の基端部がヨークハウジング２の底部中央に保持される軸受９により回転可能に支持されている。ヨークハウジング２の開口部２ａには、アーマチャ４を収容した後に該開口部２ａを閉塞するように蓋部材１０が装着される。
【００２９】
蓋部材１０は、樹脂よりなり、ヨークハウジング２の開口部２ａに対応させて略円盤状に形成されている。蓋部材１０の中央部には、回転軸５の先端部を挿入するために軸方向に貫通する貫通孔１０ａが形成されており、該貫通孔１０ａのハウジング２内部側には軸受１１が保持されている。軸受１１には回転軸５の先端部が回転可能に支持され、該回転軸５の先端部はその貫通孔１０ａ内で負荷側の連結部と連結可能に露出されている。また、蓋部材１０の外周部には、外部から電源供給を受けるべく外部コネクタ（図示略）と連結するコネクタ部１２が一体に構成されている。
【００３０】
ここで、図２は蓋部材１０におけるハウジング２内部側（ブラシホルダ１５側）から見た平面図であり、同図２において、回転軸５の中心軸線Ｌ１を通過する基準線Ｌ２を設定すると、コネクタ部１２は、中心線がその基準線Ｌ２と一致するように、蓋部材１０の円盤状の本体部分から径方向に突設されている。コネクタ部１２には、その基準線Ｌ２の両側に、一対のターミナル１３の一端の接続端子部１３ａが配置され、該端子部１３ａからターミナル１３の中間部まで該基準線Ｌ２に沿って延びている。各ターミナル１３は、その中間部が蓋部材１０の内側面に設けられる複数のターミナル保持爪１４にて保持される。一方、各ターミナル１３の中間部から他端側は、蓋部材１０の内側面に一体に構成される後述のブラシホルダ１５に配置されている。
【００３１】
蓋部材１０の内側面には、ブラシホルダ１５を構成すべく円環状のベース部１６が形成されている。ベース部１６の内側には、回転軸５の先端側に設けた整流子８が配置可能な円形状の挿通孔１６ａが設けられている。ベース部１６におけるコネクタ部１２側半分の領域では、各ターミナル１３の略中間部から他端側がそれぞれ挿通孔１６ａを挟むように折り曲げられている。因みに、各ターミナル１３の他端には、ブラシ１９，２０から延びるピッグテール１９ａ，２０ａと接続するための雌端子部１３ｂが形成されている。
【００３２】
ベース部１６における反コネクタ部１２側半分の領域では、前記基準線Ｌ２を中心として両側に４５°間隔にそれぞれホルダ部１７，１８が一体に形成されている。つまり、ホルダ部１７，１８は、互いの角度間隔が９０°間隔で設けられている。各ホルダ部１７，１８は、図２及び図３に示すように矩形筒状をなしており、内側に径方向に貫通する断面矩形状の保持孔１７ａ，１８ａを有している。各保持孔１７ａ，１８ａには、前記整流子８の外周面に摺接する直方体形状のブラシ１９，２０が径方向に摺動可能にそれぞれ嵌挿される。因みに、図３の斜視図においては、一方のホルダ部１８及びその周辺を図示しており、もう一方のホルダ部１７及びその周辺は略対称形状となっているため、ホルダ部１７側の斜視図は省略する。
【００３３】
各ホルダ部１７，１８の上壁には、該ホルダ部１７，１８の径方向外側端部１７ｂ，１７ｂから内側に向かってスリット１７ｃ，１８ｃが形成され、該ホルダ部１７，１８内に保持されるブラシ１９，２０の上部から延びるピッグテール１９ａ，２０ａが該スリット１７ｃ，１８ｃから導出される。各ピッグテール１９ａ，２０ａの先端部は、対応する前記ターミナル１３の他端の雌端子部１３ｂと接続される。
【００３４】
各ホルダ部１７，１８間の狭角領域であって、該狭角領域には、基準線Ｌ２上に平板形状の隔壁２１がベース部１６上に立設されている。隔壁２１は、ホルダ部１７，１８と同等の高さＨ１にて形成されており、ベース部１６の径方向外側から内側の挿通孔１６ａの内周縁部まで延びている。隔壁２１は、両側の領域を仕切って、後述するトーションスプリング２４，２５の絶縁を図っている。
【００３５】
隔壁２１と各ホルダ部１７，１８との間には、円柱状のスプリング保持柱２２，２３がベース部１６上に立設されている。各スプリング保持柱２２，２３は、各ホルダ部１７，１８よりも高く形成されている。このスプリング保持柱２２，２３には、トーションスプリング２４，２５がそれぞれ嵌挿され保持される。
【００３６】
各トーションスプリング２４，２５は、金属線にて形成されている。トーションスプリング２４，２５は、スプリング保持柱２２，２３の外径と略等しい内径のコイル状をなし該保持柱２２，２３に嵌挿されるコイル部２４ａ，２５ａと、該コイル部２４ａ，２５ａの一端から外側に延びる反力側端部２４ｂ，２５ｂと、該コイル部２４ａ，２５ａの他端から外側に延びる作用側端部２４ｃ，２５ｃとを有している。各反力側端部２４ｂ，２５ｂは、後述するガイド壁２６，２７の係止溝２６ｂ，２７ｂ内に挿入され該溝２６ｂ，２７ｂの内壁面にそれぞれ係止される。一方、各作用側端部２４ｃ，２５ｃは、各ホルダ部１７，１８の側壁に設けた図示しないスリットを通じて該ホルダ部１７，１８内に挿入され、ブラシ１９，２０の後端面（径方向外側端面）に係止される。
【００３７】
この場合、作用側端部２４ｃ，２５ｃは反力側端部２４ｂ，２５ｂに対して相対的に広がるようにしてブラシ１９，２０の後端面に係止されるため、該作用側端部２４ｃ，２５ｃには、反力側端部２４ｂ，２５ｂに対して縮まろうとする主にコイル部２４ａ，２５ａの付勢力が作用する。この付勢力により、ブラシ１９，２０の後端面が押圧され、ブラシ１９，２０が整流子８に押圧接触するようになっている。
【００３８】
前記各ホルダ部１７，１８の周囲には、それぞれ略円弧状のガイド壁２６，２７がベース部１６上に立設されている。各ガイド壁２６，２７は、ホルダ部１７，１８におけるスプリング保持柱２２，２３側の側壁上を径方向外側端部１７ｂ，１８ｂから内側方向に延び、内側端部の直前位置から湾曲し、ホルダ部１７，１８の側壁から隔壁２１近傍まで突出している。
【００３９】
また、ガイド壁２６，２７は、一端（ホルダ部１７，１８側端部）がスプリング保持柱２２，２３の高さと略同等の高さとなっており、そこからガイド壁２６，２７の他端（隔壁２１側端部）に向けてホルダ部１７，１８の高さと略同等の高さまで次第に低く形成されている。つまり、各ガイド壁２６，２７の上面には、一端から他端に向けて次第に高さが低くなるようなスロープ面２６ａ，２７ａが形成されている。
【００４０】
ガイド壁２６，２７の他端は隔壁２１との近接しており、その隙間は反力側端部２４ｂ，２５ｂ（トーションスプリング２４，２５）の線径より若干大きい程度、即ち反力側端部２４ｂ，２５ｂが挿通可能でかつ極力小さい隙間となるように設定されている。このガイド壁２６，２７の他端側面（隔壁２１と対向する面）には、該側面から凹設される係止溝２６ｂ，２７ｂが設けられている。各係止溝２６ｂ，２７ｂは、その上側に位置する内壁が前記隔壁２１の高さＨ１よりも低い高さＨ２となるように設けられている。この係止溝２６ｂ，２７ｂには、各トーションスプリング２４，２５の反力側端部２４ｂ，２５ｂが挿入され、該溝２６ｂ，２７ｂ内壁面と該端部２４ｂ，２５ｂとが係止される。
【００４１】
ここで、図２及び図３に示す各トーションスプリング２４，２５の装着状態においては、その反力側端部２４ｂ，２５ｂと作用側端部２４ｃ，２５ｃとが広がった状態となっている。これに対し、図示しないが、各トーションスプリング２４，２５の装着前の状態（自然状態）では、反力側端部２４ｂ，２５ｂと作用側端部２４ｃ，２５ｃとが若干の間隔を有して近接した状態となっている。
【００４２】
このようなトーションスプリング２４，２５の装着にあたり、先ず、コイル部２４ａ，２５ａを各スプリング保持柱２２，２３に嵌挿させつつ作用側端部２４ｃ，２５ｃがガイド壁２６，２７の一端側面に係止させ、反力側端部２４ｂ，２５ｂがスロープ面２６ａ，２７ａ上に載置される。次いで、トーションスプリング２４，２５がスプリング保持柱２２，２３に沿って嵌挿される。このとき、反力側端部２４ｂ，２５ｂがスロープ面２６ａ，２７ａの案内によってガイド壁２６，２７の一端側面に係止している作用側端部２４ｃ，２５ｃに対して次第に広げられる。そして、トーションスプリング２４，２５の更なる嵌挿により、反力側端部２４ｂ，２５ｂがガイド壁２６，２７の他端側面に到達し、やがて係止溝２６ｂ，２７ｂ内に挿入される。このとき、作用側端部２４ｃ，２５ｃもホルダ部１７，１８の側壁に設けた図示しないスリット内に挿入され、ブラシ１９，２０の後端面（径方向外側端面）に係止するようになっている。
【００４３】
このような構成のブラシホルダ１５は蓋部材１０に一体に構成され、該蓋部材１０はヨークハウジング２の開口部２ａを閉塞するように該ハウジング２に対して固定される。そして、コネクタ部１２に外部コネクタが連結され、該コネクタ部１２内に設けられるターミナル１３の接続端子部１３ａと外部と電気的に接続され外部から電源供給を受ける。この供給された電源はターミナル１３及びブラシ１９，２０を通じて整流子８に供給され、該整流子８にて整流されて巻線７に供給されることで、アーマチャ４がマグネット３との磁気的関係により回転するようになっている。
【００４４】
次に、本実施の形態の特徴的な作用効果を記載する。
（１）本実施の形態のブラシホルダ１５のように、対をなすホルダ部１７，１８が互いの角度間隔が９０°の狭角状態となるようにベース部１６に設けられることから、各ホルダ部１７，１８間の狭角領域において、対をなすスプリング保持柱２２，２３にそれぞれ装着されるブラシ押圧用のトーションスプリング２４，２５が近接する。このトーションスプリング２４，２５は金属線にて形成され、かつブラシ１９，２０と直接接触することから、隣接するトーションスプリング２４，２５間に介在する隔壁２１がベース部１６上に設けられる。そして、隔壁２１は、ベース部１６における整流子８と対向する挿通孔１６ａの内周縁部まで延設されている。これにより、隔壁２１が隣接するトーションスプリング２４，２５間に介在して該スプリング２４，２５相互の直接的接触を回避して絶縁が図られる。これに加え、整流子８と対向するベース部１６の挿通孔１６ａの内周縁部までその隔壁２１を縁設させているので、整流子８にブラシ１９，２０が摺接することにより生じるブラシ摩耗粉等が堆積するベース部１６上のスペースが小さくなる。これにより、ブラシ摩耗粉等の堆積によりトーションスプリング２４，２５間の導通を抑制することができ、ひいてはブラシ１９，２０間が短絡することを抑制することができる。また、このようなブラシホルダ１５を用いる本実施の形態のモータ１では、そのブラシ１９，２０間の短絡が生じにくいので、長寿命化に寄与することができる。
【００４５】
（２）ヨークハウジング２の開口部２ａを閉塞する樹脂製の蓋部材１０に、ブラシホルダ１５を構成するベース部１６、ホルダ部１７，１８、スプリング保持柱２２，２３及び隔壁２１が一体に形成されている。これにより、ブラシホルダ１５を構成する部品点数が少なくなり、ブラシホルダ１５、ひいてはモータ１の組み付け工数を低減することができる。
【００４６】
（３）トーションスプリング２４，２５は、コイル部２４ａ，２５ａと、コイル部２４ａ，２５ａの一端から外側に延びる反力側端部２４ｂ，２５ｂと、コイル部２４ａ，２５ａの他端から外側に延びる作用側端部２４ｃ，２５ｃとを有する一般的なものが用いられる。トーションスプリング２４，２５の作用側端部２４ｃ，２５ｃはブラシ１９，２０の後端面に係止されるとともに、反力側端部２４ｂ，２５ｂはスプリング保持柱２２，２３の周囲に設けられ該保持柱２２，２３へのトーションスプリング２４，２５の装着をガイドするガイド壁２６，２７に係止されている。つまり、反力側端部２４ｂ，２５ｂを近傍のガイド壁２６，２７に係止させ、ブラシ１９，２０を保持するホルダ部１７，１８に対して係止しない構成とした。これにより、ホルダ部１７，１８へのトーションスプリング２４，２５の付勢力がホルダ部１７，１８に与える影響が小さくなって該ホルダ部１７，１８の変形が抑制され、ホルダ部１７，１８内のブラシ１９，２０の円滑な摺動を好適に維持することができる。
【００４７】
（４）ガイド壁２６，２７には、トーションスプリング２４，２５の反力側端部２４ｂ，２５ｂが挿入されて係止する係止溝２６ｂ，２７ｂが設けられている。これにより、反力側端部２４ｂ，２５ｂが係止溝２６ｂ，２７ｂに係止されることで、その係止がより確実となる。
【００４８】
（５）係止溝２６ｂ，２７ｂにて係止される反力側端部２４ｂ，２５ｂの位置が隔壁２１の高さＨ１よりも低い位置（高さＨ２）に設定されている。これにより、係止溝２６ｂ，２７ｂにて係止される反力側端部２４ｂ，２５ｂが隔壁２１よりも上方に突出することを防止でき、より確実な絶縁を図ることができる。
【００４９】
尚、本発明の実施の形態は、以下のように変更してもよい。
○上記実施の形態では、トーションスプリング２４，２５の反力側端部２４ｂ，２５ｂを該スプリング２４，２５の装着をガイドするガイド壁２６，２７に係止させたが、これに限定されるものではない。例えば、図４に示すように変更してもよい。
【００５０】
図４では、隔壁２１の径方向内側部分の両側に、径方向外側に開口する係止凹部２１ａ，２１ｂを形成し、該凹部２１ａ，２１ｂ内にトーションスプリング２４，２５の反力側端部２４ｂ，２５ｂを挿入して係止させている。因みに、このように反力側端部２４ｂ，２５ｂを隔壁２１側に係止させることで、ガイド壁２６，２７を省略することもできる。
【００５１】
また、トーションスプリング２４，２５の反力側端部２４ｂ，２５ｂを係止する係止部としてガイド壁２６，２７には係止溝２６ｂ，２７ｂが、隔壁２１には係止凹部２１ａ，２１ｂが形成されるが、溝や凹部以外、例えば突起等に変更してもよい。また、係止溝２６ｂ，２７ｂや係止凹部２１ａ，２１ｂ、突起等の係止部を特に設けなくてもよい。
【００５２】
○上記実施の形態では、コイル部２４ａ，２５ａと、コイル部２４ａ，２５ａの一端から外側に延びる反力側端部２４ｂ，２５ｂと、コイル部２４ａ，２５ａの他端から外側に延びる作用側端部２４ｃ，２５ｃとを有する一般的なトーションスプリング２４，２５を用いたが、トーションスプリングの形状はこれに限定されるものではない。例えば、各端部の曲げ方向を任意に設定したトーションスプリングを用いてもよい。
【００５３】
○上記実施の形態では、ブラシホルダ１５を蓋部材１０に一体に構成したが、ブラシホルダ１５と蓋部材１０とを別体として構成してもよい。つまり、ベース部１６をブラシホルダベースとして蓋部材１０と別体とし、該ベースにホルダ部１７，１８、スプリング保持柱２２，２３及び隔壁２１を一体に形成、若しくはこれらも別体として組み付けるようにしてもよい。このようにいずれかの部材を別体とすることで、別体とした部材の材料を任意に変更できる。また、ブラシホルダベース（ベース部１６）を円環状としたが、ホルダ部１７，１８等が集約する部分だけの円弧状としてもよい。
【００５４】
○上記実施の形態では、対をなすホルダ部１７，１８が互いの角度間隔が９０°の狭角状態となるように各ホルダ部１７，１８が配置されているが、ホルダ部間の角度間隔はこれに限るものではない。つまり、対をなすホルダ部（ブラシ）間の角度間隔がモータ１の電気磁気的構成から設定される９０°以下の狭角状態とし、その狭角領域にトーションスプリング２４，２５が配置されるブラシホルダに適用するものである。
【００５５】
○上記実施の形態では、一対（２個）のブラシ１９，２０を保持するブラシホルダ１５であったが、３個以上の任意の個数としたブラシを保持するブラシホルダに実施してもよい。
【００５６】
○上記実施の形態では、車両のパワーシート装置の駆動源として用いられるモータ１に実施したが、車両の他の装置や車両以外に用いられるモータに実施してもよい。
【図面の簡単な説明】
【００５７】
【図１】本実施の形態におけるモータの断面図である。
【図２】蓋部材のハウジング内部側（ブラシホルダ側）から見た平面図である。
【図３】ホルダ部及びその周辺を示す斜視図である。
【図４】別例における蓋部材のハウジング内部側（ブラシホルダ側）から見た平面図である。
【符号の説明】
【００５８】
２…ヨークハウジング、２ａ…開口部、４…アーマチャ、８…整流子、１０…蓋部材、１５…ブラシホルダ、１６…ブラシホルダベースとしてのベース部、１６ａ…挿通孔（内周縁部）、１７，１８…ホルダ部、１９，２０…ブラシ、２１…隔壁、２１ａ，２１ｂ…係止部としての係止凹部、２２，２３…スプリング保持柱、２４，２５…トーションスプリング、２４ａ，２５ａ…コイル部、２４ｂ，２５ｂ…反力側端部、２４ｃ，２５ｃ…作用側端部、２６，２７…ガイド壁、２６ｂ，２７ｂ…係止部としての係止溝、Ｈ１，Ｈ２…高さ。
【図１】
2006320152.tif 000003
【図２】
2006320152.tif 000004
【図３】
2006320152.tif 000005
【図４】
2006320152.tif 000006